Podtech/llm-jp-corpus-v4-ja_patent huggingface dataset:
(57)【要約】【課題】被焼成体を搬送経路内で整然と搬送することができるローラハースキルンを提供する。【解決方法】搬送経路Ｃの幅方向を規制する両側位置には、ローラ３よりも上方位置に炉体２の長手方向にそれぞれ一対のスプロケットホイール１１が配設され、該スプロケットホイール１１に無端案内チェーン１２が掛け渡されている。無端案内チェーン１２は、被焼成体Ｓの搬送速度と略同一速度で循環移動するように駆動される。搬送経路Ｃの幅方向の両側位置で、被焼成体Ｓの搬送速度と略同一速度で循環移動する無端案内チェーン１２を配置したから、ローラ３の熱歪により搬送経路Ｃを逸脱しようとする被焼成体Ｓを案内して、該搬送経路Ｃ内で整然と搬送することが可能となる。【選択図】        図２
2004162968.tif 000002
【特許請求の範囲】
【請求項１】
炉体内に多数のローラを並べて搬送経路を構成し、該ローラの回転により被焼成体を搬送しつつ焼成するローラハースキルンにおいて、
前記搬送経路の幅方向の両側位置に、前記被焼成体の搬送速度と略同一速度で循環移動する無端案内部材を配置し、前記被焼成体が搬送経路を逸脱しないように案内するようにしたことを特徴とするローラハースキルン。
【発明の詳細な説明】
【０００１】
【産業上の利用分野】
本発明は、被焼成体を搬送しつつ焼成するローラハースキルンに関する。
【０００２】
【従来技術】
ローラハースキルンのローラは、熱歪を生じて変形するため被焼成体が蛇行して搬送経路から逸脱してしまう場合があった。このため、各ローラに搬送経路の幅寸法で一対の案内輪を一体成形する提案もなされている。
【０００３】
【発明が解決しようとする課題】
しかしながら、上記したように案内輪を一体成形するものは、ローラと案内輪の熱歪が重畳して全体の歪量が大きくなり、被焼成体を搬送経路内で整然と搬送することができない場合がある。
本発明は上記問題点を解決するためになされたもので、被焼成体を搬送経路内で整然と搬送することができるローラハースキルンを提供することを目的とする。
【０００４】
【課題を解決するための手段】
上記目的を達成するための本発明のローラハースキルンは、炉体内に多数のローラを並べて搬送経路を構成し、該ローラの回転により被焼成体を搬送しつつ焼成するローラハースキルンにおいて、前記搬送経路の幅方向の両側位置で、前記被焼成体の搬送速度と略同一速度で循環移動する無端案内部材を配置し、前記被焼成体が搬送経路を逸脱しないように案内するようにしたことを特徴とする。
【０００５】
【発明の作用及び効果】
上記構成のローラハースキルンは、搬送経路の幅方向の両側位置で、被焼成体の搬送速度と略同一速度で循環移動する無端案内部材を配置したから、ローラの熱歪により搬送経路を逸脱しようとする被焼成体を案内して、搬送経路内で整然と搬送することが可能となる。
【０００６】
【発明の実施形態】
本発明の実施形態について添付図面を参照して説明する。図１はローラハースキルン１の概略を示した断面図、図２は多数のローラ３を並べて構成される搬送経路Ｃを示した断面図である。ローラハースキルン１は、耐火煉瓦等により構築されたトンネル状の炉体２の幅方向に一定のピッチでローラ３を貫通させ、該炉体２の長手方向に被焼成体Ｓの搬送経路Ｃを構成したものである。各ローラ３は両端部を回転自在に支承され、駆動側端部に取り付けたスプロケットホイール４に掛け渡した無端チェーン５により駆動して、一定の回転速度で駆動されるようになっている。
【０００７】
また、上記搬送経路Ｃの幅方向を規制する両側位置には、ローラ３よりも上方位置に炉体２の長手方向にそれぞれ一対のスプロケットホイール１１が配設され、該スプロケットホイール１１に無端案内チェーン１２が掛け渡されている。無端案内チェーン１２は図示しない駆動機構により、被焼成体Ｓの搬送速度と略同一速度で循環移動するように駆動される。無端案内チェーン１２は、炉体２の長手方向の所定箇所に配設してもよい。
【０００８】
上記構成のローラハースキルン１は、搬送経路Ｃの幅方向の両側位置で、被焼成体Ｓの搬送速度と略同一速度で循環移動する無端案内チェーン１２を配置したから、ローラ３の熱歪により搬送経路Ｃを逸脱しようとする被焼成体Ｓを案内して、該搬送経路Ｃ内で整然と搬送することが可能となる。
【図面の簡単な説明】
【図１】ローラハースキルンの概略を示した断面図である。
【図２】多数のローラを並べて構成される搬送経路を示す説明図である。
【符号の説明】
１．．．ローラハースキルン
３．．．ローラ
１１．．．スプロケットホイール
１２．．．無端案内チェーン
Ｃ．．．被焼成体
Ｓ．．．搬送経路
【図１】
2004162968.tif 000003
【図２】
2004162968.tif 000004
(57)【要約】【課題】簡単な構造で雨傘除水処理と撥水処理とが確実にできる雨傘除水・撥水処理装置を提供することを目的とするものである。【解決手段】本発明は雨傘を開いた状態の雨傘の外面に対向したエアー吹き出し口と撥水剤吹き出し口とを設けて雨傘を回転しながらエアー吹き出し口よりエアーで雨傘の水滴を除去したり雨傘の外面に撥水剤吹き出し口より撥水剤を噴霧して撥水加工したりする。【選択図】        図１
2004162940.tif 000002
【特許請求の範囲】
【請求項１】
雨傘を開いた状態で横向きに上部開口よりほぼ半分挿入して雨傘を回転するための雨傘支持部と、該雨傘支持部に装着された雨傘の外面に対向した複数のエアー吹き出し口および撥水剤吹き出し口とを備え、前記支持部を介して雨傘を回転すると共に前記エアー吹き出し口より吹き出したエアーで雨傘に付着している水滴を除去しそして／または雨傘の外面に前記撥水剤吹き出し口より撥水剤を噴霧することを特徴とする雨傘除水・撥水処理装置。
【請求項２】
前記エアー吹き出し口および撥水剤吹き出し口が下部に対向した一対のモータを有する送風ダクトに形成されていることを特徴とする請求項１に記載の雨傘除水・撥水加工装置。
【請求項３】
前記雨傘支持部は雨傘を回転させる駆動手段を具備することを特徴とする請求項１または２に記載の雨傘除水・撥水処理装置。
【発明の詳細な説明】
【０００１】
【産業上の利用分野】
本発明は雨傘の水滴除去および撥水加工のできる雨傘除水・撥水処理装置に関するものである。
【０００２】
【従来の技術】
雨傘除水処理と撥水加工とができる雨傘除水・撥水処理装置は、これまでにはないが、開いている雨傘を除水処理するものは特開平６−９０８１１号公報に「傘の雨滴除去装置」として記載されている。しかしこの「傘の雨滴除去装置」の雨滴除去処理は、真空発生器を用いて雨傘を吸着固定して回転させる構成のものであり、除水処理のために吸水性スポンジやすり割を設けて真空吸引するものであるので、撥水処理を行わせることが困難である。
【０００３】
【特許文献１】
特開平６−９０８１１号公報
【０００４】
【発明が解決しようとする課題】
本発明は、簡単な構造で雨傘除水処理と撥水処理とが確実にできる雨傘除水・撥水処理装置を提供することを目的とするものである。
【０００５】
【課題を解決するための手段】
本発明に係る雨傘除水・撥水処理装置は、雨傘を開いた状態で横向きに上部開口よりほぼ半分挿入して雨傘を回転するための雨傘支持部と、該雨傘支持部に装着された雨傘の外面に対向した複数のエアー吹き出し口および撥水剤吹き出し口とを備え、前記支持部を介して雨傘を回転すると共に前記エアー吹き出し口より吹き出したエアーで雨傘に付着している水滴を除去しそして／または雨傘の外面に前記撥水剤吹き出し口より撥水剤を噴霧することを特徴とする。
【０００６】
【作用】
従って、本発明に係る雨傘除水・撥水処理装置は、雨傘を開いた状態で雨傘の除水処理および／または撥水加工をするために、雨傘の外面に対向したエアー吹き出し口および撥水剤吹き出し口を備えているので、簡単な構造で除水処理が確実にかつ迅速に行うことができると共に、除水処理後に撥水加工することにより効果的に撥水処理を行うことができる。従って古くなった傘でも、手軽に撥水処理を行うことができ、新品同様の撥水効果を復元できる。
【０００７】
【発明の実施の形態】
以下に本発明の実施の形態を図面に基づいて説明する。
図１は本発明に係る雨傘除水・撥水処理装置の断面図を示し、雨傘を開いた状態で横向きに上部開口よりほぼ半分挿入した雨傘を、仮想線で子供用傘１と大人用傘２として示す。本発明に係る雨傘除水・撥水処理装置は、エアー吹き出し口３、４、５、６および撥水剤吹き出し口７、８が下部に対向した一対のブロアモータ９、１０を有する送風ダクト１１に形成されている。送風ダクト１１は図３に示すように一定の幅で上方に延びている。即ち一対のブロアモータ９、１０により除水用のエアーをエアー吹き出し口３、４、５、６に導き、仮想線で示す雨傘の外面に吹きつける。
【０００８】
一方、雨傘を回転するための雨傘支持部１２は、内部に雨傘を回転するモータ、遊星歯車等の駆動手段を具備しており、この駆動手段で雨傘の支持軸と接触するローラＲを駆動するために、図４に示す流れに従ってスイッチ操作され、除水スイッチ１３をＯＮにすると、雨傘支持部１２のローラＲが作動されると同時に、一対のブロアモータ９、１０が作動され、回転する雨傘の外面にエアー吹き出し口３、４、５、６より除水用エアーが吹き出し除水を始める。雨傘が一回転されると雨傘支持部１２のローラＲと除水用エアーが停止され、雨傘除水・撥水処理装置から傘を取出し可能にする。この除水時間は約６秒〜８秒である。除水された雨水は雨傘除水・撥水処理装置の底部にある傾斜板で集められて排水口から排除される。
【０００９】
更に撥水加工をする場合は、雨傘除水・撥水処理装置から傘を取出すことなく、撥水加工スイッチ１４をＯＮにして撥水剤容器およびモータ等を具備した噴霧器１５を作動すると共に雨傘支持部１２をも作動して撥水剤吹き出し口７、８から撥水剤を回転する雨傘の外面に噴霧して撥水処理を行う。この撥水時間も約６秒〜８秒である。また、図５に除水および撥水加工を連続して行う他の実施例を示し、この実施例では噴霧器１５が除水・撥水加工を連続して行えるように一つの除水・撥水加工スイッチ１６で制御する。
【００１０】
【発明の効果】
以上の説明から明らかな通り、本発明の構成によれば、雨傘を開いた状態の雨傘の外面に対向したエアー吹き出し口と撥水剤吹き出し口とを設けて雨傘を回転しながらエアー吹き出し口よりエアーで雨傘の水滴を除去したり雨傘の外面に撥水剤吹き出し口より撥水剤を噴霧して撥水加工したりする雨傘除水・撥水処理装置を提供することができる。
【図面の簡単な説明】
【図１】本発明に係る雨傘除水・撥水処理装置の断面図である。
【図２】本発明に係る雨傘除水・撥水処理装置の平面図である。
【図３】本発明に係る雨傘除水・撥水処理装置の正面図である。
【図４】スイッチの操作を示すフロチャート図である。
【図５】除水および撥水加工を連続して行う他の実施例であるスイッチの操作を示すフロチャート図である。
【符号の説明】
１  子供用傘
２  大人用傘
３  エアー吹き出し口
４  エアー吹き出し口
５  エアー吹き出し口
６  エアー吹き出し口
７  撥水剤吹き出し口
８  撥水剤吹き出し口
９  ブロアモータ
１０  ブロアモータ
１１  送風ダクト
１２  雨傘支持部
１３  除水スイッチ
１４  撥水加工スイッチ
１５  噴霧器
１６  除水・撥水加工スイッチ
【図１】
2004162940.tif 000003
【図２】
2004162940.tif 000004
【図３】
2004162940.tif 000005
【図４】
2004162940.tif 000006
【図５】
2004162940.tif 000007
(57)【要約】【課題】水道設備の水栓金具を美しく保つ。水道設備の水栓金具の取っ手、ハンドルの衛生を保つ。【解決手段】図１のハンドルＡを蛇口本体Ｂの下側にする事によりハンドルＡを止水する行為で蛇口本体を水垂れによる水垢で汚す事はない。図１のハンドルＡの操作部分が蛇口Ｃから出るの水の道、通過部分を通る時洗浄され汚れを落とし衛生的である。【選択図】    図１
2004162495.tif 000002
【特許請求の範囲】
【請求項１】
トイレ、洗面等の水栓金具の取っ手、ハンドルを蛇口の下側にする。
取っ手、ハンドルの掴む部分は水の道を通過させる。
【発明の詳細な説明】
【０００１】
【発明の属する技術分野】
水道設備の水栓金具
【０００２】
【従来の技術】
水栓金具の取っ手、ハンドルは蛇口本体の上側にあり、使用した時濡れた手で取っ手、ハンドルを操作（止水）をすると水たれが蛇口本体に掛り水垢が蛇口本体に付く。
公衆トイレ、公共施設トイレの手洗い水栓の取っ手、ハンドルが不衛生に感じられつい水で洗ってしまう。
【０００３】
【発明が解決しようとする課題】
手を洗ったあと、水栓金具本体を水たれにて汚さない。
取っ手、ハンドルを使用中水洗い出来、衛生的である。
【０００４】
【課題を解決するための手段】
取っ手、ハンドルの上に蛇口本体を付ける事により、手を洗い止水した手より水が滴り蛇口本体に掛らない。
取っ手、ハンドルを洗うには蛇口の下に取っ手、ハンドルを付ければ容易に洗える。
【０００５】
【発明の実施の形態】
水栓金具本体の下側に取っ手、ハンドルを取り付ける。
従来の水栓金具の場合取っ手、ハンドルを下側に垂れ下げ操作部分を蛇口の下側を通過する様にする。
【０００６】
【発明の効果】
水栓金具本体に水垢が付かず拭き磨かなくてよい。
取っ手、ハンドル操作部は常に水洗いされ衛生的である。
【図面の簡単な説明】
【図１】本考案の平面図１、側面図２、側面図３である。
【符号の説明】
Ａ、取っ手、ハンドル      Ｂ蛇口本体      Ｃ蛇口
Ａ’従来の蛇口本体の形状の取っ手、ハンドル  Ｂ’従来型の蛇口本体
【図１】
2004162495.tif 000003
(57)【要約】【課題】一般家庭用のトイレルームもしくは、トイレ専用個室は、一般家庭の住宅用の部屋の中で最も狭い部類の部屋だと考えられます。また現在のトイレルームもしくは、トイレ専用個室には水周り設備も必要不可欠だと考えてます。またその部屋の狭さゆえにトイレ室にあった専用の冷房設備を付けづらいという欠点があると考えます。これらのことからトイレ室専用の冷房設備を付けられないかという課題をたて、またトイレ室の特性でもある水周り設備を利用した冷房設備はつくれないかという課題をたてました。【解決手段】水洗トイレの給水タンクの水を冷房設備の冷却用に使用することによる小型冷房機の開発。【選択図】図１
2004162496.tif 000002
【特許請求の範囲】
【請求項１】
家庭用のトイレルームもしくは、トイレ専用個室において、水洗トイレ用給水タンクの水を冷房機の空気冷却用にもちいることにより、夏の暑い期間等  家庭用のトイレルームもしくは、トイレ専用個室において、室内温度を下げるためのコンパクトな空気冷却システムの提供。
【請求項２】
家庭用トイレにおいて、給水タンクにたまった冷房冷却用に使われた廃熱をおびた温水を利用し、温水を便器に流すことによる便器洗浄性の向上を得るために利用した温排水の有効利用システムの提供。
【発明の詳細な説明】
【０００１】一般に冷房システムは室内機と室外機があり、室内の空気を室内機でとりこみ、室外機で外または室外に熱またはカロリーもしくは温度を排出し、熱またはカロリーもしくは温度の室外で熱のとりのぞかれた空気を、室内機で室内にもどして空気の冷却しますが、このシステムは熱またはカロリーもしくは温度における熱量の排出を水洗トイレに備え付けられている給水タンクにさせることにより、熱の排出を人がトイレを使用したとき、熱のたまった水を便器に流して排出することにより、室外機をもちいないでトイレ室内の空気の冷却をできるようにした冷房システムです。
このことにより  トイレ室において、室外機用の通気口工事や室外機を室外に設置することなく、トイレの給水タンクの変更のみで、冷房システムをとりいれることができます。
また、給水タンクにおいて、廃熱に利用された温水を便器に流すことにより便器についた汚れ等を、通常水または冷水時より効果的に排除できるようにした便器洗浄性や、衛生性等にリサイクルして再利用します。
なお、図面にたいする補足として、本体部は一般の冷房機における室内機であり、冷却部は一般の冷房機における室外機と同じ機能をもったものとします。ただし、冷却部に関しては水冷式であり、一般の空冷式のものとは異なったシステムとします。
【発明の属する技術分野】
【０００２】トイレ用器具および、一般電気製品。
【従来の技術】
【０００３】水洗トイレの給排水システム。室内機、室外機を用いた冷房による空気冷却システム。トイレ室に電気をもちいたトイレ用電気設備技術。
【課題を解決するための手段】
【０００４】給水タンクの変換手段。給水タンク内にもちいる冷却用空気コンプレッサーの防水、防電技術の確立。トイレ室用ミニ冷房機の開発。
【発明の効果】
【０００５】家庭用トイレ室の空冷化による快適性の確保。小型冷房機の開発における小スペース効果。排温水におけるリサイクル効果。
【図面の簡単な説明】
【図１】システムを正面からみたシステムの説明図
【符号の説明】
１    本体部
２    冷却部
３    電気コード
４    コンセント
５    本体部と冷却部の接続パイプ
６    冷気噴出し口
７    吸気口
８    給水タンク
９    冷却部用土台
１０  給水用の水道パイプ
１１  タンク内の水
１２  洋式便器用のふた
１３  便座
１４  洋式便器
【図１】
2004162496.tif 000003
【手続補正書】
【提出日】平成14年11月19日(2002.11.19)
【手続補正１】
【補正対象書類名】明細書
【補正対象項目名】０００２
【補正方法】変更
【補正の内容】
【０００２】水洗トイレ用器具および、一般電気系統に関する冷房機分野。


【手続補正２】
【補正対象書類名】明細書
【補正対象項目名】０００３
【補正方法】変更
【補正の内容】
【０００３】水洗トイレの給排水システム。室内機、室外機をもちいた冷房機による空気冷却システム。トイレ室に電気をもちいたトイレ用電気設備技術。


【手続補正３】
【補正対象書類名】図面
【補正対象項目名】図１
【補正方法】変更
【補正の内容】
【図１】
2004162496.tif 000004
【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
家庭用のトイレルームもしくは、トイレ専用個室において、水洗トイレ用給水タンクの水を冷房機の空気冷却用にもちいることにより、夏の暑い期間等、家庭用のトイレルームもしくは、トイレ専用個室において、室内温度を下げるために、従来の家庭用冷房機にもちいられていた室外機をもちいることのないコンパクトな空気冷却システムの提供。
【請求項２】
請求項１に記載されているシステムの付加した部分として，家庭用トイレの請求項１記載のシステムの給水タンクにおいて、給水タンクにたまった冷房冷却用に使われた廃熱をおびた温水を利用し、温水を便器に流すことによる便器洗浄性の向上を得るために利用した請求項１に記載されているシステムの付加したものとしての温排水の有効利用システ厶。
【手続補正２】
【補正対象書類名】明細書
【補正対象項目名】０００４
【補正方法】変更
【補正の内容】
【０００４】給水タンクの変換手段。給水タンク内にもちいるこのシステムにおける冷却部用の防水技術と給水タンク内の水に対する漏電、防電用の技術。


【手続補正３】
【補正対象書類名】明細書
【補正対象項目名】０００５
【補正方法】変更
【補正の内容】
【０００５】家庭用トイレルームの空気冷却化による快適性の確保。コンパクトな冷房システムによる小スペース効果。温排水におけるリサイクルの発展性。
(57)【要約】【課題】本発明は、窓等の開口部の上部から採光・眺望し、下部は遮光・遮蔽する。あるいは、上部・下部から採光・眺望し、中央の部分だけ遮光・遮蔽する等、太陽の日差しの変化や様々な住環境に対応し、必用な時に、必用な部分だけを遮光・遮蔽し、その他の部分は採光しようとするものである。【解決手段】スクリーン部分を窓等の開口部の高さよりも長くし、上半部を透明または遮光率の低い素材面（２）で構成し、下半部を遮光性のある素材面（３）で構成する。上部・下部とにそれぞれ巻き取り機構である、上部巻き取りローラー（１）と下部巻き取りローラー（４）を設け、この一対の巻き取りローラーの調節により、遮光率の異なるスクリーン面を自在に上下動させ、遮光面の位置や長さを調節することを可能とした。【選択図】    図１
2004162492.tif 000002
【特許請求の範囲】
【請求項１】
スクリーン部分を窓等の開口部の高さよりも長くし、上半部を透明または遮光率の低い素材面（２）で構成し、また下半部を遮光性のある素材面（３）で構成し、上部・下部とに、それぞれ巻き取り機構である、上部巻き取りローラー（１）、下部巻き取りローラー（４）を設け、この一対の巻き取りローラーの調節により、遮光率の異なるスクリーン面を上下動させ、遮光面の位置や長さを調節することを可能としたロールスクリーン装置。
【発明の詳細な説明】
【０００１】
【発明の属する技術分野】
本発明は、ロールスクリーンにおいて、遮光面の位置や長さを調節する機能を備えたロールスクリーン装置。
【０００２】
【従来の技術】
従来のロールスクリーンは、スクリーン部分全体が同じ遮光率の布等で構成されていて、巻き取りローラーが上にあるものが知られている。上部取付け位置から長さを調節するだけの機能のため、遮光面の位置を調節する事が出来なかった。
【０００３】
【発明が解決しようとする課題】
本発明は、窓等の開口部の上部から採光・眺望し、下部は遮光・遮蔽する。あるいは、上部・下部から採光・眺望し、中央の部分だけ遮光・遮蔽する等、太陽の日差しの変化や様々な住環境に対応し、必用な時に、必用な部分だけを遮光・遮蔽し、その他の部分は採光しようとするものである。
【０００４】
【課題を解決するための手段】
スクリーン部分を窓等の側口部の高さよりも長くし、上半部を透明または遮光率の低い素材面（２）で構成し、下半部を遮光性のある素材面（３）で構成する。上部・下部とにそれぞれ巻き取り機構である、上部巻き取りローラー（１）と下部巻き取りローラー（４）を設け、この一対の巻き取りローラーの調節により、遮光率の異なるスクリーン面を自在に上下動させ、遮光面の位置や長さを調節することを可能とした。
【０００５】
【実施例】
図１は窓等の枠（５）の上部にロールスクリーンを取り付けたものであり、上部巻き取りローラー（１）と下部巻き取りローラー（４）の調節により、遮光率の異なるスクリーン面を上下動させ、開口部の上部に遮光率の低い素材面（２）を出し、中央部分に遮光性のある素材面（３）を出している例である。また、上部巻き取りローラー（１）により、遮光部分を上下に動かす事が可能であり、下部巻き取りローラー（４）により遮光部分の長さを変えることが可能である。図３はスクリーンを広げた時の図であり、スクリーン部分の上半部を透明又は遮光率の低い素材面（２）で構成し、また下半部を遮光性のある素材面（３）で構成されている。透明又は遮光率の低い素材面（２）の部分は、透明シート・薄い布、あるいはガラス繊維等で編まれているメッシュ等であり、採光する事ができる素材である。また、長さは、上半部・下半部とも窓等の枠の高さと同寸にした例であるが、上半部は必用に応じ短くしてもよい。
【０００６】
【発明の効果】
本発明は、開口部の上の部分からは光を取り入れたり、景色を眺めたりし、下の部分は遮光・遮蔽する。あるいは、申央の部分だけ遮光・遮蔽し、上下の部分からは光を取り入れたり、景色を眺めたりすると言った、様々な住環境や太陽の日差し等の変化に合わせ、遮光面の位置や長さを自在に調節する事を可能とした。これにより、必要のない部分まで覆っていた従来のうっとうしさから開放される。
【図面の簡単な説明】
【図１】正面図である。
【図２】側面図である。
【図３】スクリーンを広げた時の正面図である。
【符号の説明】
１上部巻き取りローラー
２透明又は遮光率の低い素材面
３遮光性のある素材面
４下部巻き取りローラー
５枠
６外の景色
【図１】
2004162492.tif 000003
【図２】
2004162492.tif 000004
【図３】
2004162492.tif 000005
(57)【要約】【課題】建築資材等の養生シートでは養生を重ねる際に金属製のリングに杭もしくは紐などで穴を合わせて止めばならず、風が強い日などは飛ばされる事が多く折り畳むにしても大きい為２人以上で畳む必要があった。【解決手段】本体Ａにすべり止めを設ける。すべり止めは例えば、複数設けられたマジックテープＢと同じく複数設けられたスナップボタンＣである。【選択図】図１
2004162497.tif 000002
【特許請求の範囲】
【請求項１】
養生材（ブルーシート）に固定する機能を設けた事を特徴とする養生シート。
【請求項２】
養生シートにスナップボタンを設け、このスナップボタンは複数設けられた凹凸状の突起で有り重ねられることを特徴とする請求項１記載の養生シート
【請求項３】
養生シートにマジックテープを設け、このマジックテープは等間隔に複数設けられた柔らかい材料であり折り畳みしやすい事を特徴とする請求項１記載の養生シート。
【請求項４】
養生シートの中心に芯棒を入れる筒状の袋を設け、棒を入れる事により一人でも折り畳める事を特徴とする養生シート
【０００１】
【発明の詳細な説明】
【図面１】Ａの（養生シート）を等間隔に寸法を採り等間隔の線上に振り分けて
【図面１】Ｂ（マジックテープ）
【図面１】Ｃ（スナップボタン）を長手方向  短手方向に裏表均等に設ける。
【図面２】Ｄ部分に径１６ｍｍの袋状の筒穴を長手方向に設ける。
【発明の属する技術分野】
この発明は、運搬・建築資材の養生に用いる養生シートの形状に関する。
【０００２】
【従来の技術】
従来の建築資材の養生等に用いる養生シート（ブルーシート）の形状は、
【図面３】に示す様にシートの端にＥの金属製のリングを均等に設けられたものである。
【０００３】
【発明が解決しようとする課題】
しかしながら、以上の従来技術によれば、養生を重ねる際に金属製のリングに杭もしくは紐などで穴を合わせて止めねばならず、風が強い日などは飛ばされる事が多く折り畳むにしても大きい為２人以上で畳む必要があった。
そこで、この発明は、養生を重ねやすく折り畳みやすい養生シートを提供する事を課題とする。
【０００４】
【課題を解決するための手段】
以上の課題を解決するために、請求項１の発明は養生シート（ブルーシート）に固定する機能を設けた事を特徴とする養生シートである。
請求項２の発明は養生シートにスナップボタンを設け、このスナップボタンは複数設けられた凹凸状の突起で有り重ねられることを特徴とする養生シートである。
請求項３の発明は養生シートにマジックテープを設け、このマジックテープは等間隔に複数設けられた柔らかい材料であり折り畳みしやすい事を特徴とする養生シートである。
請求項４の発明は養生シートの中心に芯棒を入れる筒状の袋を設け、棒を入れる事により一人でも折り畳める事を特徴とする養生シートである。
【０００５】
【発明の実施の形態】
この発明の一実施形態を、図１に示す。
養生シート本体Ａはビニール繊維製であり、この本体を等間隔に分けた線上の長手方・短手方向にＢのマジックテープ・Ｃのスナップボタンが並列して多数設けられている。
【０００６】実施形態を、図２に示す。養生シート本体Ｄの裏表に等間隔に分けた線上の長手方向・短手方向にＢのマジックテープ・Ｃのスナップボタンが並列して多数設けられている。図２のＤ部分に長手方向に径１６ｍｍの袋状の筒穴を設ける。Ａの養生シート本体の大きさは各サイズとする。
【０００７】
【実施形態の効果】
この実施形態によれば、ＢのマジックテープＣのスナップボタンの働きで養生をする際に固定ができる。したがって風などで飛ぶこともなく収納時にも折り目正しく一人でも畳めて見栄えも良い養生シートである。
【０００８】
【他の実施形態】
図１の実施形態では、固定方法は複数のマジックテープとスナップボタンであったが固定方法は隅にボタンを設けたものでも良い。
【０００９】
【発明の効果】
以上説明したように、この発明によれば養生シートに固定箇所を設けたので滑らず扱いやすく止めやすい。
【００１０】
また、養生しながら固定できるので、風が強くても飛ぶことがなく、大きい面積の養生でも一人で養生作業を行うことが出来、容易に畳むことができる。
【００１１】
素材自体軽量で柔らかいので場所をとらず自由に運べる。
【図面の簡単な説明】
【図１】この発明の一実施形態を示す平面図である。
【図２】この発明の一実施形態を示す断面図である。
【図３】従来技術を示す平面図である。
【符号の説明】
Ａ  養生シート（ブルーシート）本体      Ｂ  マジックテープ
Ｃ  スナップボタン                      Ｄ  径１６ｍｍの袋状の筒穴
【図１】
2004162497.tif 000003
【図２】
2004162497.tif 000004
【図３】
2004162497.tif 000005
(57)【要約】      （修正有）【課題】粉塵，騒音の減少を図る建造物の解体方法を提供する。【解決手段】解体対象の建造物を液化チッソ等により凍結して建造物を解体することにより、解体工事に伴う粉塵および騒音の減少、廃材の破砕効率を高めることができる。【選択図】なし【特許請求の範囲】
【請求項１】
木造、鉄筋コンクリート、アスベスト材等の粉塵のともなう物体、又は構造物の解体
【要約】
建物の解体、対象物を液化チッソ等にて凍結して解体する事により解体工事によるほこりの発生を防ぎ、又、騒音の減少にもつながる。
【発明の詳細な説明】
【０００１】
建造物の解体、解体にともなう対象物を液化チッソ等で凍結させて解体することで、粉塵の発生を無くし騒音を減少、廃材の破砕を容易にする。
【０００２】
本発明は建物の解体方法と係わり解体に伴う粉塵の減少、騒音の減少、廃材の破砕効率を良くするようにした建物の解体方法である。
【課題】粉塵の消失、騒音の減少、廃材の大きさのちがいを無くする。
【形態】解体しようとする対物に直接液化チッソを吹き付け凍結させてから解体する。
(57)【要約】【課題】耐震性、高気密・高断熱とともに通気性、遮音性をも備えた木造家屋の提供【解決手段】この発明の木造家屋は、土台１又は天井の梁２に集成材等からなる床板材３を直接敷設し、耐震性能を向上させ、併せて高気密・高断熱に仕上げる木造家屋Ａにおいて、前記土台１又は梁２の中心まで集成材等からなる床板材を敷設し、空隙を接着剤又は充填材で充填することにより、壁内部の空気の通路を確保し、併せて上下階の音の貫通を防止することが出来るようになっている。【選択図】図３
2004162498.tif 000002
【特許請求の範囲】
【請求項１】
土台又は天井の梁に集成材等からなる床板材を直接敷設し、耐震性能を向上させ、併せて高気密・高断熱に仕上げる木造家屋において、耐久性及び遮音性を向上させる工法を特徴とする木造家屋
【発明の詳細な説明】
【０００１】
【発明の属する技術分野】
この発明は、通気性を備えた高気密・高断熱の耐震構造の木造家屋に関するものである。
【０００２】
【従来の技術】
従来の木造家屋の床部は、一階では、土台、大引に、二階では、天井の梁、大引に、３０ｃｍ程度の間隔をおいて複数本の根太を固定し、根太の上に、板を打ち付け、その上に畳等を敷くという工法であったので、根太がスペーサーとなり、前記板と根太の間に空隙が生じ、地震に弱いという欠点があり、この欠点を解消するために、根太を省略して、集成材等からなる厚めの床板材を土台、大引、梁に直接敷設し、固定する工法が実施されている。
【０００３】
この工法によって、耐震性は向上するが、床下または天井部から床板材を経由して壁部に湿気を含んだ空気や、上下階の音が貫通するため、壁内部等に結露が生じ易く、内装部材や外装部材等にカビの発生や腐食を誘引する、生活音が貫通するという不具合が生じていた。
【０００４】
【発明が解決しようとする課題】
この発明は、従来の技術で記述した不具合を解消するためになされたもので、耐震性、高断熱・高気密とともに耐久性・遮音性にも優れた木造家屋の提供を目的とするものである。
【０００５】
【課題を解決するための手段】
この発明の木造家屋は、土台又は天井の梁に集成材等からなる床板材を直接敷設し、耐震性能を向上させ、併せて高気密・高断熱に仕上げる木造家屋において、上下階の空隙を、接着剤や充填材の充填等で無くし、壁内部の空気の通路を確保し、併せて生活音の遮断をすることを特徴とするものである。
【０００６】
【発明の実施の形態】
この発明の実施の形態の一例を図面を参照しながら説明するに、請求項１の木造家屋は図１〜図３に示すように、土台１又は天井の梁２に集成材等からなる床板材３を直接敷設し、耐震性能を向上させ、併せて高気密・高断熱に仕上げる木造家屋Ａにおいて、前記土台１又は梁２の上面に図３に示すように集成材等からなる床板材３を直接敷設した場合を示している。
【０００７】
なお、図１、図２において、４は柱、５は壁の内装部材、６は壁の外装部材、７はロックウール等の断熱材、８は接着剤・充填材、９は壁内部の空気の通路を示している。
【０００８】
集成材等からなる厚さ２０〜５０ｍｍ程度の床板材３は、図３に示すように、土台１又は梁２の中心まで掛けて直接敷設し、その空隙は図３に示すとおり、接着剤・充填材８で充填されるため、土台１又は梁２上に構築される壁内部の空気の通路９に連通するため、空気の通気路が確保される。
【０００９】
上記の工法は、現場施工で簡単に施工することができ、床板材３の厚み及び素材を変更することにより、上下階の音の貫通を制御する。床板材３の厚み及び素材は土台１又は梁２の強度に影響しない程度及び、建築基準法上の防・耐火構造の指定程度の材料に限定される。
【発明の効果】
【００１０】
この発明は以上のように構成されているので、床下空間又は天井空間及び上下階は、土台、大引、梁に直接敷設し、固定された集成材等からなる厚めの床板材で分離されるため、壁内部の空気の通路が確保され、壁内部等における結露の発生及び上下階の音の貫通を防止することが出来る。
【図面の簡単な説明】
【図１】この発明の実施の一例を示した説明図である。
【図２】この発明の実施の一例を示した概略平面図である。
【図３】この発明の実施の一例を示した説明図である。
【符号の説明】
１    土台
２    梁
３    床板材
４    柱
５    壁の内装部材
６    壁の外装部材
７    ロックウール等の断熱材
８    接着剤・充填材
９    壁内部の空気の通路
Ａ    木造家屋
【図１】
2004162498.tif 000003
【図２】
2004162498.tif 000004
【図３】
2004162498.tif 000005
(57)【要約】【課題】市街地などの小規模河川に好適な地上部の設備が低く、しかも駆動力が小さくして済む簡易型往復式除塵機を提供する。【解決手段】円弧状に湾曲形成したスクリーン１を張り出し側を上流に向けて配置し、その前面に櫛歯状のレーキ２を配置すると共に、このレーキ２をスクリーン１の両側に設けた揺動アーム４，４に揺動可能に取付け、且つレーキ２が下方へ回動しないように揺動アーム４，４にストッパー７，７を設ける。レーキ２の取付部２ａに手動ウインチ６のワイヤロープ５を接続する。レーキ２の両側に設けたアーム８，８の外側にそれぞれレーキ２の姿勢切換用突起または転子９を設け、この突起または転子９を案内するガイドレール１０，１０をスクリーン１より上流側にスクリーン１と同心円上に設ける。そしてガイドレール１０，１０の上部にそれぞれ逆止弁状に進路切換片１１を、また下部には降下姿勢切換用ガイド部１０ａ，１０ａを設ける。【選択図】    図１
2004162481.tif 000002
【特許請求の範囲】
【請求項１】
スクリーンを円弧状とし、揺動アームに取付けたレーキをスクリーンの上面に沿って移動するように構成したことを特徴とする往復式除塵機。
【請求項２】
スクリーンを円弧状に湾曲形成し、その張り出し側に櫛歯状のレーキを配置し，このレーキをスクリーンの両側に設けた揺動アームに揺動可能に取付け、且つ駆動装置により上下運動させるように構成すると共に、レーキ上昇時はレーキを掻上げ動作状態に、レーキ降下時はレーキを非掻下げ動作状態とする手段を備えたことを特徴とする往復式除塵機。
【発明の詳細な説明】
【０００１】
【発明の属する技術分野】
本発明は、小規模河川に好適な簡易型往復式除塵機に関するものである。
【０００２】
【従来の技術】
現在一般に使われている除塵設備には、特開２００２−３１７４２８に開示されるように、平坦なスクリーンを水路に斜に設け、その上面側を移動する櫛歯状のレーキを、ワイヤーロープやチェーンなどを介して駆動装置により上下動させるものが使用されている。
【０００３】
前記特開２００２−３１７４２８に開示されるものは、レーキの昇降機構を簡略化したものであるが、この種の平坦なスクリーンを用いた除塵設備は、巻上装置の位置が高くなり、小規模河川に用いた場合、地上に突出した設備が目障りになるため、地上設備ができるだけ低くなるようなものが望まれていた。
【０００４】
また、レーキの駆動力が小さくて済むものが望まれていた。
【０００５】
【特許文献１】
特開２００２−３１７４２８号公報（第３頁  、図１）
【０００６】
【発明が解決しようとする課題】
そこで本発明は、市街地などの小規模河川に好適な地上部の設備が低く、しかも駆動力が小さくして済む簡易型往復式除塵機を提供しようとするものである。
【０００７】
【課題を解決するための手段】
本発明は、上記の課題を解決するためになされたもので、スクリーンを円弧状とし、揺動アームに取付けたレーキをスクリーンの上面に沿って移動するようにしたものである。
【０００８】
具体的構成としては、スクリーンを円弧状に湾曲形成し、その張り出し側に櫛歯状のレーキを配置し、このレーキをスクリーンの両側に設けた揺動アームに揺動可能に取付け、且つ駆動装置により上下運動させるように構成すると共に、レーキ上昇時はレーキを掻上げ動作状態に、レーキ下降時はレーキを非掻下げ動作状態とする手段を備えたものである。
【０００９】
【発明の実施の形態】
図面は本発明の実施例を示すもので、図１は縦断側面図、図２は正面図、図３は平面図である。
【００１０】
図において、１は円弧状に湾曲形成したスクリーンで、その張り出し側を上流側に向けて水路Ｗに設けられる。
【００１１】
２は、水路Ｗの側壁３，３に揺動自在に取付けられた揺動アーム４，４に揺動可能に取付けられたレーキで、取付部２ａに一端を接続したワイヤロープ５を介して手動ウインチ６により、前記スクリーン１の上面に沿って上下動せしめられ、上昇時は揺動アーム４，４に設けたストッパー７，７により下方には回動しないように構成されている。揺動アーム４，４は、連結部材４ａ，４ｂで鳥居状に構成されており、またレーキ２の両側に設けたアーム８，８の外側にはそれぞれレーキ２の姿勢切換用突起または転子９が設けられている。
【００１２】
１０，１０は、前記水路Ｗの側壁３，３に取付けられたチャンネル材を用いた降下姿勢保持用の弧状のガイドレールで、前記スクリーン１より上流側にスクリーン１と同心円上に設けられている。そしてこのガイドレール１０，１０の上部にはそれぞれ逆止弁状に進路切換片１１が、また下部には降下姿勢切換用ガイド部１０ａがそれぞれ設けられている。
【００１３】
このガイドレール１０，１０は、レーキ２の両側に設けられた姿勢切換用突起または転子９を降下時に案内するもので、降下時に手動ウインチ６による引揚力に抗してレーキ２を逆方向に回動させて非掻上げ動作状態にレーキ２の姿勢を維持する。
【００１４】
そしてレーキ２が降下すると、レーキ２に設けた姿勢切換用突起または転子９がガイドレール１０，１０から外れるので、ワイヤロープ５により引張られて回動し図１に示すように掻上げ動作状態となる。
【００１５】
従って、手動ウインチ６を駆動することによりスクリーン１に引掛っているゴミを掻上げ、最上部に達した時、レーキ２は下向きにほぼ垂直になるので、水路Ｗに架設した渡し台１２上にゴミを落すことが出来る。
【００１６】
本往復式除塵機は、スクリーン１が円弧状であるので、スクリーンが平坦な従来装置に比し、水路上に突出する部分が低くなり、しかも掻上げ時の摩擦抵抗が小さいので、駆動力が小さくて済む。
【００１７】
そして、レーキ２は枠状に構成した揺動アーム４，４に取付けられているので、振れが少なく、したがって細かい目幅のスクリーンに適している。
【００１８】
【発明の効果】
本発明によれば、水路上に突出する部分が低くなるため、従来装置よりも目障りにならず、また巻上機も小型のものあるいは手動のもので済むので、市街地にある小規模河川用として好適である。
【図面の簡単な説明】
【図１】本発明の実施例の縦断側面図。
【図２】本発明の実施例の正面図。
【図３】本発明の実施例の平面図。
【符号の説明】
１        スクリーン
２        レーキ
３        側壁
４        揺動アーム
５        ワイヤロープ
６        手動ウインチ
７        ストッパー
８        アーム
９        姿勢切換用突起または転子
１０        ガイドレール
１０ａ      姿勢切換用ガイド部
１１        進路切換片
１２        渡し台
【図１】
2004162481.tif 000003
【図２】
2004162481.tif 000004
【図３】
2004162481.tif 000005
(57)【要約】【課題】精神科病院の病棟や病室、又は警察の拘置所等における引き戸や開き戸用に、特に自殺のための紐や縄掛けができないような構造の把手を提供する。【解決手段】把手１の把手部２を幅広の板状に形成すると共に該把手部２の上端部及び下端部を内側に円弧状に曲げて該把手部２を弓状又は半楕円状を有する角部のない形状に形成し、更に該把手部２の内側空間を左右に仕切る板状の仕切り部材３を該把手部２の内側面の中間部に内方に向かって突設し、これら把手部２及び仕切り部材３が取付けベース板４上に突出する構造に形成した。【選択図】        図１
2004162401.tif 000002
【特許請求の範囲】
【請求項１】
戸の把手において、把手部を幅広の板状に形成すると共に該把手部の内側面の中間部に、該把手部の内側の空間を左右に仕切る板状の仕切り部材を内方に突設したことを特徴とする把手。
【請求項２】
前記把手部は、その上端部及び下端部を内側に円弧状に曲げて弓状又は縦長の半楕円状を有する角部のない形状に形成されていることを特徴とする請求項１に記載の把手。
【請求項３】
前記把手部及び前記仕切り部材には貫通孔を有しない構造としたことを特徴とする請求項１又は請求項２に記載の把手。
【請求項４】
前記把手部と前記仕切り部材とからなる把手を平らな取付けベース板上に固定して、取付けベース板と一体の把手に形成したことを特徴とする請求項１乃至請求項３のいずれか１に記載の把手。
【発明の詳細な説明】
【０００１】
【発明の属する技術分野】
本発明は精神科病院の病棟や病室、又は警察の拘置室等における引き戸や開き戸の把手として有用な、特に自殺防止用として好適な把手に関する。
【０００２】
【従来の技術】
従来の精神科の病室等においては、引き戸や開き戸用の把手として、球形をしたノブやレバー式のハンドルなどの一般のオフィスや住宅等で使用されているものと同様のものが使われていた。
【０００３】
【発明が解決しようとする課題】
精神科病院の患者又は警察の拘置室に収監された者の中で、自殺願望を有する者が前記病室又は拘置室のノブやハンドルに紐を掛けて自殺を図ることがあるという問題点があった。
【０００４】
本発明は上記の問題点を解消し、精神科病院の病棟や病室、又は警察の拘置所等における引き戸や開き戸用に、自殺のための紐掛けができないような構造の把手を提供することを目的とする。
【０００５】
【課題を解決するための手段】
本発明は上記の目的を達成すべく、戸の把手において、把手部を幅広の板状に形成すると共に該把手部の内側面の中間部に、該把手部の内側の空間を左右に仕切る板状の仕切り部材を内方に突設した。
【０００６】
【発明の実施の形態】
本発明の一実施の形態を図面により説明する。
【０００７】
図１は本実施の形態の把手１の側面図、図２は該把手１の正面図、又、図３は該把手１の図２におけるＩＩ−ＩＩ線截断面図を示す。
【０００８】
即ち把手１は、幅広の板状に形成された把手部２と、該把手部２の内側面の中央部にて内方に突設し該把手部２の内側空間を中央で左右に仕切る板状の仕切り部材３と、これら把手部２と仕切り部材３とを固定した平らな取付けベース板４とからなり、該把手部２はその上端部と下端部とを円弧状に内側に曲げて、該把手部２を側面より見ると縦長の半楕円状を有する角部のない形状としている。
【０００９】
又、前記仕切り部材３は該仕切り部材３を貫通するような貫通孔を有さず、これら把手部２と仕切り部材３とが前記取付けベース板４から突出するように形成されている。
【００１０】
更に又、前記取付けベース板４は、取付け用の皿穴４ａを複数個有する四角形の板状体からなる。
【００１１】
尚、これら把手部２、仕切り部材３及び取付けベース板４は、丈夫なステンレス鋼の板材を用いて作られている。
【００１２】
前記取付けベース板４と前記仕切り部材３、又は前記把手部２と前記仕切り部材３とは、図３に示す如く、複数ヵ所のプラグ溶接３ｂによって固定されている。尚、これらは突き合わせ溶接によって固定するようにしてもよい。
【００１３】
次に本実施の形態の把手１の使用方法及びその利点について説明する。
【００１４】
本把手１は、主として精神科病院の病棟や病室、又は警察の拘置室等における戸の把手に用いられる。
【００１５】
即ち、取付け台４に設けた複数個の皿穴４ａに介入した皿ねじ又は皿リベットにより、把手１を前記戸に固定する。
【００１６】
尚、前記把手１は左右いずれからも手先を差し入れることができるので、引き戸の開け閉めに好都合であり、又、開き戸に取付けて用いてもよい。
【００１７】
然して把手１には角部が無いので当っても傷をすることなく、紐を挿通するような貫通孔もないので、自殺願望のある人でも紐や縄を該把手１に掛けることができず、安全である。
【００１８】
尚、本実施の形態では把手１をステンレス鋼の板材を溶接してなるとしたが、これはステンレス鋼以外の板材を溶接して作ってもよく、又は、鋳造等の方法で一体に成形するようにしてもよい。
【００１９】
【発明の効果】
このように本発明によれば、精神科病院の病室等の引き戸や開き戸の把手として、自殺防止用に最適で且つ開け閉めの容易な把手を提供できる効果を有する。
【図面の簡単な説明】
【図１】本発明の一実施の形態の把手の側面図である。
【図２】同上把手の正面図である。
【図３】図２におけるＩＩ−ＩＩ線截断面図である。
【符号の説明】
１    把手
２    把手部
３    仕切り部材
４    取付けベース板
【図１】
2004162401.tif 000003
【図２】
2004162401.tif 000004
【図３】
2004162401.tif 000005
(57)【要約】      （修正有）【課題】植物の一時休眠によってその生産を調整して経済的に安定させるとともに、耐病性及び品質の優れた花、野菜等を生産する方法を提供する。【解決手段】ベンゾジアゼピン受容体作動薬（ニトラゼパム、フルラゼパム、エスタゾラム、ニメタゼパム、ハロキサゾラム、トリアゾラム、フルニトラゼパム、リルマザホン、ロルメタゼパム等）にカイネチンを混合した薬剤で植物を処理する。【効果】植物を一時休眠させる。【選択図】なし【特許請求の範囲】
【請求項１】
ベンゾジアゼピン受容体作動薬（ニトラゼパム、フルラゼパム、エスタゾラム、ニメタゼパム、ハロキサゾラム、トリアゾラム、フルニトラゼパム、リルマザホン、ロルメタゼパム）等にカイネチン（キネチン）を混合した植物の休眠誘導剤の製造、使用方法
【発明の詳細な説明】
［産業上の利用分野］ベンゾジアゼピン受容体作動薬にカイネチンを混合する事で植物に対してＲＮＡ、ＤＮＡ結果で植物の休眠作用があることが明らかになった為、花、野菜の生産を調節する事が出来、価格の安定した、花、野菜の生産が出来ることになる
［従来の技術］アブシジン酸で植物の気孔を閉鎖させる働きをする事で、植物の水利用を制御する事が研究されている植物の休眠誘導作用迄は至っていない
［発明が解決しようとする課題］本発明によって植物を一時休眠させる事で花、野菜等の生産を調整することが出来、価格の安定、及び耐病性のある植物の生産が出来、良質の花、野菜の生産が出来る
［課題を解決するための手段］本発明によって、花、野菜等の植物の耐病性の強い植物が生産され、花、植物、野菜等の生産調整をする事が出来、価格の安定、増産、又優れた製品が出来、経済が安定した生産をする事が出来るようになる
［作  用］植物の休眠作用がある
［実施例］    配合表
（ベンゾジアゼピン受容体作動薬）
トリアゾラム                    ９８％
カイネチン                        ２％
以上に配合した薬剤を１０，０００倍希釈して使用する
［発明の効果］植物を一時休眠作用させる
(57)【要約】【課題】極めて早い致死効果を示すハチ駆除用エアゾール剤を提供する。【解決手段】ジョチュウギクエキス、溶剤及び噴射剤からなるハチ駆除用エアゾール剤。【選択図】なし【特許請求の範囲】
【請求項１】
ジョチュウギクエキス、溶剤及び噴射剤からなるハチ駆除用エアゾール
【発明の詳細な説明】
【０００１】
【発明の属する技術分野】
この発明は、ハチ駆除用エアゾール剤に関するものである。
【０００２】
【従来の技術】
ハチの駆除に際しては、速効性のある薬剤が求められており、２−メチル−４−オキソ−３−（２−プロピニル）シクロペンタ−２−エニルクリサンテマート（プラレトリン）を有効成分として含有するハチ駆除剤が知られているが、ハチの巣の撤去作業などのように多数のハチの駆除が必要な場合や、スズメバチ等の攻撃性の強いハチの駆除の場合などにおいては、作業者に対するハチによる刺傷の危険性が増大するため、極めて早い致死効果を示す薬剤が求められていた。一方、ハエ、蚊等の衛生害虫用ジョチュウギクエキスエアゾ−ルは知られているが、ハチに対する極めて早い致死効果は知られていなかった。
【０００３】
【発明が解決しようとする課題】
この発明の目的は、極めて早い致死効果を示すハチ駆除用エアゾール剤を提供することにある。
【０００４】
【課題を解決するための手段】
この発明によるハチ駆除用エアゾール剤は、有効成分としてジョチュウギクエキス、溶剤、及び噴射剤からなることを特徴とするものである。
【０００５】
【発明の実施の形態】
以下この発明の実施形態を詳細に説明する。有効成分のジョチュウギクエキスはシロバナムシヨケギク（除虫菊）の乾花から抽出した天然エキスで、そのエキスにはピレトリンＩ、シネリンＩ、ジャスモリンＩ、ピレトリンＩＩ、シネリンＩＩ、及びジャスモリンＩＩの６種の類縁化合物が含まれる。有効成分の含有量は０．０１〜２重量％が好ましい。
【０００６】
本発明に用いられる溶剤としては、脂肪族炭化水素類、芳香族炭化水素類、アルコール類、エステル類、エーテル類、ケトン類、植物精油及び水等が例示される。有効成分が溶剤に溶けにくい場合には乳化のため、乳化剤を添加することができる。
【０００７】
本発明に用いられる噴射剤としては、プロパン、ブタン、イソブタン、ジメチルエーテル、メチルエチルエーテル等を挙げることができ、これらは２種以上の混合物であってもよい。噴射剤含有量は通常１０〜９０重量％、好ましくは４０〜７０重量％である。内部圧力を上げるため、窒素で加圧してもよい。
【０００８】
【実施例】
以下、製剤例および試験例により、さらに詳細に説明するが、本発明はこれに限定されるものではない。
【０００９】
〔製剤例１〕
ジョチュウギクエキスの所定量を１号灯油１００ｍｌに溶解し、有効成分含量０．１５重量％溶液を調製し、液化石油ガス（プロパン／ブタン）１００ｍｌ及び窒素で加圧し、エアゾール剤を作製した。
【００１０】
〔製剤例２〕
ジョチュウギクエキスの所定量を１号灯油１００ｍｌに溶解し、有効成分含量０．３重量％溶液を調製し、液化石油ガス（プロパン／ブタン）１００ｍｌ及び窒素で加圧し、エアゾール剤を作製した。
【００１１】
試験例
アシナガバチの働き蜂の同一巣の個体を１０頭ずつ金網籠に収容し、１ｍ離れた位置からそれぞれ５秒間、各個体に十分に薬液が到達し被液するように噴霧し、その後の経過を次の３段階に区別して観察した。結果を表１に示す。
各行動の判定は次の基準による。
正常：苦悶することなく、歩行または静止している状態。
苦悶：行動が異常で、苦悶している状態。
死亡：動きが完全に止まった硬直状態。
【００１２】
【表１】
2004269406.tif 000002
【００１３】
【発明の効果】本発明のハチ駆除用エアゾール剤は、ハチに対し極めて早い致死効果を示すことにより、従来よりもより安全にハチ駆除作業を行うことが可能となる。